(57)【要約】【課題】顔写真撮影装置における個人情報の漏洩を防止する。【解決手段】カメラ１２により利用者の顔写真が撮影され、ＢＭデータ取得装置１４により利用者から生体認証情報が取得される。これらの個人情報は関連付けられて記憶部１８に記憶される。記憶部１８に記憶されている個人情報がプリンタ１９に送信され、プリンタ１９により個人情報が印刷用紙に印刷された後、記憶部１８に記憶されている個人情報が消去される。【選択図】図１
2005221550.tif 000002
【特許請求の範囲】
【請求項１】
利用者の顔を撮影する顔写真撮影装置において、
前記利用者の顔画像情報を含む当該利用者固有の個人情報を取得する個人情報取得手段と、
前記取得された個人情報を記憶する記憶手段と、
前記記憶された個人情報を印刷する印刷手段と、
前記記憶手段から前記印刷手段に前記個人情報を送信した後、又は前記印刷手段による前記個人情報の印刷が終了した後に、前記記憶手段に記憶されている個人情報を消去する制御手段と、
を備えたことを特徴とする顔写真撮影装置。
【請求項２】
利用者の顔を撮影する顔写真撮影装置において、
前記利用者の顔画像情報を含む当該利用者固有の個人情報を取得する個人情報取得手段と、
前記取得された個人情報を記憶する記憶手段と、
前記記憶された個人情報を記録媒体に記録するデータ記録手段と、
前記記憶手段から前記データ記録手段に前記個人情報を送信した後、又は前記データ記録手段による前記個人情報の記録が終了した後に、前記記憶手段に記憶されている個人情報を消去する制御手段と、
を備えたことを特徴とする顔写真撮影装置。
【請求項３】
利用者の顔を撮影する顔写真撮影装置において、
前記利用者の顔画像情報を含む当該利用者固有の個人情報を取得する個人情報取得手段と、
前記取得された個人情報を記憶する記憶手段と、
前記顔写真撮影装置と通信ネットワークを介して接続された管理装置とデータの送受信を行う通信手段と、
前記記憶手段から前記管理装置に前記個人情報を送信した後、又は前記管理装置から前記個人情報の受信確認情報を受信した後に、前記記憶手段に記憶されている個人情報を消去する制御手段と、
を備えたことを特徴とする顔写真撮影装置。
【請求項４】
請求項１〜３のいずれか一項に記載の顔写真撮影装置において、
前記個人情報は、前記利用者の生体認証情報、住所、氏名、筆跡情報、又は監視画像情報を含むことを特徴とする顔写真撮影装置。
【発明の詳細な説明】
【技術分野】
【０００１】
本発明は、利用者の顔写真を撮影する顔写真撮影装置に関する。
【背景技術】
【０００２】
近年、各種団体の会員証や社員証、各種免許証等の身分証として、ＩＣメモリ内蔵のＩＤカードが普及してきている。このＩＤカードには、顔写真、ＩＤ番号、住所、氏名、年齢、及び所属等の個人情報がカードの表面に直接印刷されるとともに、カードに内蔵されているＩＣメモリにデジタルデータ化した個人情報が記録されている。
【０００３】
また、免許証やパスポート、顔写真が印刷されたクレジットカード等の発行を申請する際には、申請書に写真を貼付する場合が多い。このような証明写真を撮影するために、ボックス型の顔写真撮影装置が街頭や駅構内等、利用者が利用しやすい場所に設置されている。例えば、複数回撮影を行って得られた複数の画像を同一記録媒体上にプリントする証明写真撮影装置や、装置に表示される撮影操作案内手順を選択可能な撮影装置が提案されている（例えば、特許文献１、２参照。）。
【０００４】
また、本人認証を行うための技術として、指紋や虹彩等を用いた生体認証技術（Biometrics）が普及してきており、ＩＤカードにおける本人照合にも利用されている。
【特許文献１】特開２０００−２９１０号公報
【特許文献２】特開２００３−２０７８４０号公報
【発明の開示】
【発明が解決しようとする課題】
【０００５】
しかし、利用者の顔写真や生体認証情報等の個人情報を取得する装置に、これらの個人情報が残されていると、個人情報が漏洩するおそれがあった。
【０００６】
本発明は、顔写真撮影装置における個人情報の漏洩を防止することを課題とする。
【課題を解決するための手段】
【０００７】
請求項１に記載の発明は、利用者の顔を撮影する顔写真撮影装置において、前記利用者の顔画像情報を含む当該利用者固有の個人情報を取得する個人情報取得手段と、前記取得された個人情報を記憶する記憶手段と、前記記憶された個人情報を印刷する印刷手段と、前記記憶手段から前記印刷手段に前記個人情報を送信した後、又は前記印刷手段による前記個人情報の印刷が終了した後に、前記記憶手段に記憶されている個人情報を消去する制御手段と、を備えたことを特徴とする。
【０００８】
請求項２に記載の発明は、利用者の顔を撮影する顔写真撮影装置において、前記利用者の顔画像情報を含む当該利用者固有の個人情報を取得する個人情報取得手段と、前記取得された個人情報を記憶する記憶手段と、前記記憶された個人情報を記録媒体に記録するデータ記録手段と、前記記憶手段から前記データ記録手段に前記個人情報を送信した後、又は前記データ記録手段による前記個人情報の記録が終了した後に、前記記憶手段に記憶されている個人情報を消去する制御手段と、を備えたことを特徴とする。
【０００９】
請求項３に記載の発明は、利用者の顔を撮影する顔写真撮影装置において、前記利用者の顔画像情報を含む当該利用者固有の個人情報を取得する個人情報取得手段と、前記取得された個人情報を記憶する記憶手段と、前記顔写真撮影装置と通信ネットワークを介して接続された管理装置とデータの送受信を行う通信手段と、前記記憶手段から前記管理装置に前記個人情報を送信した後、又は前記管理装置から前記個人情報の受信確認情報を受信した後に、前記記憶手段に記憶されている個人情報を消去する制御手段と、を備えたことを特徴とする。
【００１０】
請求項４に記載の発明は、請求項１〜３のいずれか一項に記載の顔写真撮影装置において、前記個人情報は、前記利用者の生体認証情報、住所、氏名、筆跡情報、又は監視画像情報を含むことを特徴とする。
【発明の効果】
【００１１】
請求項１に記載の発明によれば、記憶手段から印刷手段に個人情報を送信した後、又は印刷手段による個人情報の印刷が終了した後に、記憶手段に記憶されている個人情報を消去するので、個人情報の漏洩を防止することができる。
【００１２】
請求項２に記載の発明によれば、記憶手段からデータ記録手段に個人情報を送信した後、又はデータ記録手段による個人情報の記録が終了した後に、記憶手段に記憶されている個人情報を消去するので、個人情報の漏洩を防止することができる。
【００１３】
請求項３に記載の発明によれば、記憶手段から管理装置に個人情報を送信した後、又は管理装置から個人情報の受信確認情報を受信した後に、記憶手段に記憶されている個人情報を消去するので、個人情報の漏洩を防止することができる。
【００１４】
請求項４に記載の発明によれば、利用者の生体認証情報、住所、氏名、筆跡情報、又は監視画像情報を含む個人情報の漏洩を防止することができる。
【発明を実施するための最良の形態】
【００１５】
［第１の実施の形態］
まず、図１及び図２を参照して本発明の第１の実施の形態における顔写真撮影装置１０について詳細に説明する。ただし、発明の範囲は図示例に限定されない。
【００１６】
図１に、顔写真撮影装置１０の機能的構成を示す。
顔写真撮影装置１０は、利用者が入室可能な筐体からなる撮影室を備え、街頭や駅構内等、利用者が利用しやすい各地に設置されている。
【００１７】
顔写真撮影装置１０は、制御部１１、カメラ１２、入室検知センサ１３、ＢＭデータ取得装置１４、入力装置１５、サイン取得装置１６、表示装置１７、記憶部１８、プリンタ１９、データ記録装置２０、ストロボ２１、スピーカー２２、キャッシャー２３、Ｉ／Ｏユニット２４等を備える。
【００１８】
制御部１１は、図示しないＣＰＵ（Central Processing Unit）やＲＯＭ（Read Only Memory）、ＲＡＭ（Random Access Memory）等から構成され、顔写真撮影装置１０の各部を統括的に制御する。ＣＰＵは、入力装置１５から入力される各種指示に従って、ＲＯＭに記憶されている各種プログラムの中から指定されたプログラムをＲＡＭのワークエリアに展開し、上記プログラムとの協働によって各種処理を実行し、その処理結果をＲＡＭの所定の領域に格納する。
【００１９】
カメラ１２は、光学レンズ、ＣＣＤ（Charge Coupled Device）等の光学センサ、Ａ／Ｄ変換器等から構成され、光学レンズを介して入力される被写体像を光学センサにより光電変換して画像信号を生成し、Ａ／Ｄ変換器によりアナログ画像信号からデジタル画像データを得て、制御部１１に出力する。カメラ１２は、連続的に焦点距離を変化させるズーム機能、又は、２つ以上の焦点距離に対して焦点を合わせる焦点切り替え機能を有し、少なくとも利用者の顔写真と利用者の顔を含む撮影室内監視写真とを撮影して顔画像情報（以下、「顔画像データ」という。）及び監視画像情報（以下、「監視画像データ」という。）を生成する。監視画像データは、利用者の顔や人物全体、利用者の顔を含む撮影室内の一部又は撮影室全体等を対象として、それぞれ撮影された複数の画像データであってもよい。カメラ１２に替えて動画を記録可能なデジタルビデオカメラを適用することとしてもよい。
【００２０】
入室検知センサ１３は、顔写真撮影装置１０の撮影室内に人物が入室したことを検知して、その検知信号を制御部１１に出力する。
【００２１】
ＢＭデータ取得装置１４は、例えば、利用者の指紋、虹彩、手の甲の静脈パターン、掌紋、顔の特徴、声紋、あるいは、遺伝子情報等の生体認証情報（Biometrics Data；以下、「ＢＭデータ」という。）を取得する装置である。なお、本実施の形態においては、ＢＭデータ取得装置１４は指紋センサを備え、利用者の指紋をＢＭデータとして取得するものとする。指紋センサは、リニア型ＣＣＤイメージセンサ、リニア型ＣＭＯＳイメージセンサ等の光電変換素子で構成され、センサの受光面に結像された指紋の一次元像を指紋画像データに変換する。ＢＭデータは、この指紋画像データであってもよいし、所定のアルゴリズムに従って抽出された特徴点データであってもよい。特徴点データとは、例えば指紋の場合には、各指紋画像の相違点が比較的明確な、指紋の頂点の位置や数等を示すデータをいう。特徴点データを用いることにより、指紋画像データそのものを用いる場合と比較して、本人認証を容易かつ迅速に行うことができる。
【００２２】
入力装置１５は、数字キー、文字キー、写真種選択ＳＷ（Switch）、撮影ＳＷ、プリントＳＷ、各種機能キーを備えて構成され、各キー及びＳＷ操作による押下信号を制御部１１に出力する。入力装置１５は、利用者が入力装置１５から利用者の氏名及び住所を入力することにより、氏名データ及び住所データを取得する。なお、入力装置１５は、表示装置１７と一体に構成されるタッチパネルや、その他の入力装置を備えることとしてもよい。
【００２３】
サイン取得装置１６は、利用者の氏名等の筆跡情報を取得する。筆跡情報を取得する方法として、シート状のセンサ上にサインを記入してデジタルデータとして取得する方法や、紙に書かれたサインをスキャナで読み取る方法等がある。
【００２４】
表示装置１７は、ＣＲＴ（Cathode Ray Tube）やＬＣＤ（Liquid Crystal Display）等からなる表示画面を備え、制御部１１の制御に応じて、表示情報を表示する。
【００２５】
記憶部１８は、顔写真撮影装置１０により取得された個人情報を関連付けて記憶する。個人情報とは、顔写真撮影装置１０を利用する利用者固有の情報をいい、ここでは、カメラ１２により撮影された顔画像データ及び監視画像データ、ＢＭデータ取得装置１４により取得されたＢＭデータ、入力装置１５により取得された氏名データ及び住所データ、サイン取得装置１６により取得された筆跡情報を含むが、その他の情報であってもかまわない。
【００２６】
プリンタ１９は、印刷装置等を備え、記憶部１８に記憶されている個人情報を印刷用紙に印刷する。例えば、プリンタ１９は、顔画像データに基づいて顔写真を印刷する。
【００２７】
データ記録装置２０は、記録媒体を装填可能な構成であって、記憶部１８に記憶されている個人情報を記録媒体に記録する。記録媒体として、例えば、ＭＯ（Magneto-Optical disk）、ＣＤ−Ｒ（Compact Disc-Recordable）、ＤＶＤ−Ｒ（Digital Versatile Disk-Recordable）等が挙げられる。
【００２８】
ストロボ２１は、撮影ＳＷが押下される際に、瞬間的に光を発し、撮影に充分な光量になるよう調節する。
【００２９】
スピーカー２２は、電気信号を音波に変換して出力する音声出力装置である。スピーカー２２は、顔写真撮影装置１０における音声案内を出力する。
【００３０】
キャッシャー２３は、硬貨や紙幣の入金口、釣り銭返金口等を備えた料金精算機であり、入金口から入金された金額の情報を制御部１１に出力し、制御部１１から指示された金額の硬貨又は紙幣を釣り銭返金口に排出する。
【００３１】
Ｉ／Ｏユニット２４は、制御部１１と、ストロボ２１、スピーカー２２、キャッシャー２３とを接続し、各種信号の入出力を行う。
【００３２】
次に、顔写真撮影装置１０における動作について説明する。
図２は、顔写真撮影装置１０において実行される顔写真プリント処理を示すフローチャートである。
【００３３】
まず、顔写真撮影装置１０の撮影室内に利用者が入ると、入室検知センサ１３により利用者が検知され（ステップＳ１）、表示装置１７に案内画面が表示される（ステップＳ２）。同時に、スピーカー２２により音声案内が出力される。以下の動作においても同様に、各処理毎に、スピーカー２２から音声案内が出力されることとしてもよい。
【００３４】
利用者がキャッシャー２３の入金口に料金を投入すると（ステップＳ３）、入金された金額が判断される（ステップＳ４）。次に、利用者が撮影を希望する写真種を選択するための写真種選択ＳＷを押下すると（ステップＳ５）、キャッシャー２３により、選択された写真種に応じて料金の精算が行われ、釣り銭が排出される（ステップＳ６）。
【００３５】
次に、利用者が撮影ＳＷを押下すると（ステップＳ７）、利用者の顔を含む撮影室内監視写真の撮影（以下、「監視用撮影」という。）が行われ、監視画像データが生成される（ステップＳ８）。なお、監視用撮影として、利用者の顔や人物全体、利用者の顔を含む撮影室内の一部又は撮影室全体等、複数の写真が撮影されることとしてもよい。また、監視画像データには、撮影された時刻又は撮影された順序に関する情報が付帯されることが望ましい。続いて、ストロボ２１が照射され、カメラ１２により顔写真の撮影が行われ、顔画像データが生成される（ステップＳ９）。そして、再び監視用撮影が行われ、監視画像データが生成される（ステップＳ１０）。ここで、顔画像データのチェックが行われる（ステップＳ１１）。例えば、顔が横を向いていないか、顔の大きさ及び位置（画像の外枠から顔までの距離等）は規格内であるか、等が判断される。顔画像データが顔写真撮影装置１０において利用可能なデータではないと判断された場合には（ステップＳ１１；ＮＧ）、表示装置１７に再撮影の要求を示す画面が表示され、再び顔写真の撮影が行われる。
【００３６】
顔画像データが顔写真撮影装置１０において利用可能なデータであると判断された場合には（ステップＳ１１；ＯＫ）、顔画像データと監視画像データが関連付けられて記憶部１８に保存される（ステップＳ１２）。
【００３７】
次に、監視用撮影が行われ、監視画像データが生成される（ステップＳ１３）。続いて、ＢＭデータ取得装置１４により、ＢＭデータが取得される（ステップＳ１４）。そして、再び監視用撮影が行われ、監視画像データが生成される（ステップＳ１５）。ここで、取得されたＢＭデータのチェックが行われる（ステップＳ１６）。取得されたＢＭデータが顔写真撮影装置１０において利用可能なデータではないと判断された場合には（ステップＳ１６；ＮＧ）、表示装置１７にＢＭデータの再取得の要求を示す画面が表示され、再びＢＭデータの取得が行われる。
【００３８】
ＢＭデータが顔写真撮影装置１０において利用可能なデータであると判断された場合には（ステップＳ１６；ＯＫ）、ＢＭデータと監視画像データが、ステップＳ１２において保存された顔画像データと監視画像データとともに、関連付けられて記憶部１８に保存される（ステップＳ１７）。
【００３９】
次に、利用者が入力装置１５から利用者の氏名及び住所を入力することにより、氏名データ及び住所データが取得される（ステップＳ１８）。取得された氏名データ及び住所データは、顔画像データ、ＢＭデータ、監視画像データとともに、関連付けられて記憶部１８に記憶される。
【００４０】
次に、サイン取得装置１６により、利用者の筆跡情報が取得される（ステップＳ１９）。取得された筆跡情報は、顔画像データ、ＢＭデータ、氏名データ、住所データ、監視画像データとともに、関連付けられて記憶部１８に記憶される。
【００４１】
また、ステップＳ１において、入室検知センサ１３により、利用者が顔写真撮影装置１０の撮影室内に入ったことが検知されてから、不定期に監視用撮影が行われ（ステップＳ２０）、生成された監視画像データが顔画像データ等の個人情報と関連付けられて記憶部１８に保存される（ステップＳ２１）。不定期とは、一定の時間間隔ではないことをいい、ランダムに設定されることとしてもよい。ただし、利用者に監視用撮影のタイミングを意識させないことが好ましい。図２においては、ステップＳ２０、ステップＳ２１を１回ずつ示してあるが、実際には、不定期に複数回行われるものとする。
【００４２】
利用者がプリントＳＷを押下することにより（ステップＳ２２）、記憶部１８に記憶されている個人情報がプリンタ１９に送信される（ステップＳ２３）。そして、プリンタ１９により、個人情報が印刷用紙に印刷される（ステップＳ２４）。顔画像データに基づいて顔写真が印刷され、その他の個人情報は文字として印刷されるか、あるいは、暗号化された後にバーコード等を用いて印刷される。
【００４３】
印刷終了後、記憶部１８に記憶されている個人情報は消去される（ステップＳ２５）。印刷の終了は、プリンタ１９から印刷終了情報が制御部１１に出力されることにより判断される。そして、利用者は顔写真を含む個人情報が印刷された印刷物を受け取る（ステップＳ２６）。
以上で、顔写真プリント処理が終了する。
【００４４】
したがって、顔写真撮影装置１０によれば、プリンタ１９による個人情報の印刷が終了した後に、記憶部１８に記憶されている個人情報を消去するので、個人情報の漏洩を防止することができる。
【００４５】
なお、記憶部１８に記憶されている個人情報をプリンタ１９に送信した後、個人情報の印刷が終了する前に、記憶部１８に記憶されている個人情報を消去することとしてもよい。
【００４６】
［第２の実施の形態］
次に、本発明を適用した第２の実施の形態について説明する。
第２の実施の形態における顔写真撮影装置は、第１の実施の形態に示した顔写真撮影装置１０と同様の構成であるため、同一の構成部分については同一の符号を付し、図示及び説明を省略する。以下、第２の実施の形態に特徴的な処理について説明する。
【００４７】
図３は、第２の実施の形態の顔写真撮影装置において実行されるデータ記録処理を示すフローチャートである。
図３のステップＴ１〜Ｔ２１は、第１の実施の形態における図２のステップＳ１〜Ｓ２１と同様の処理であるため、説明を省略する。
【００４８】
顔写真撮影装置において取得され、記憶部１８に記憶されている顔画像データ、ＢＭデータ、氏名データ、住所データ、筆跡情報、監視画像データ等の個人情報は暗号化され（ステップＴ２２）、データ記録装置２０に送信される（ステップＴ２３）。そして、データ記録装置２０により、暗号化された個人情報が記録媒体に記録される（ステップＴ２４）。
【００４９】
データ記録終了後、記憶部１８に記憶されている個人情報は消去される（ステップＴ２５）。個人情報の記録の終了は、データ記録装置２０からデータ記録終了情報が制御部１１に出力されることにより判断される。
以上で、データ記録処理が終了する。
【００５０】
したがって、顔写真撮影装置によれば、データ記録装置２０による個人情報の記録が終了した後に、記憶部１８に記憶されている個人情報を消去するので、個人情報の漏洩を防止することができる。
【００５１】
なお、記憶部１８に記憶されている個人情報をデータ記録装置２０に送信した後、個人情報の記録が終了する前に、記憶部１８に記憶されている個人情報を消去することとしてもよい。
【００５２】
また、記録媒体に記録されているデータに基づいて、ＩＤカードの発行が行われる場合には、カード面に顔写真が印刷され、カードに内蔵されているＩＣメモリにＢＭデータ等の個人情報が記録される。記録媒体に記録されている監視画像データを分析することにより、顔写真撮影装置の利用中に撮影対象者が入れ替わっていないかを確認することができる。撮影対象者の入れ替わり等の不正が行われていた場合には、ＩＤカードの発行を中止することとする。
【００５３】
［第３の実施の形態］
次に、本発明を適用した第３の実施の形態について説明する。
図４に示すように、第３の実施の形態における顔写真撮影装置３０は、管理装置４０とネットワークＮを介して接続されている。図４では、顔写真撮影装置３０を１つ図示しているが、実際には、複数の顔写真撮影装置３０がネットワークＮを介して管理装置４０に接続されているものとする。
【００５４】
顔写真撮影装置３０は、第１の実施の形態に示した顔写真撮影装置１０と同様の構成であるため、同一の構成部分については同一の符号を付し、説明を省略する。以下、第３の実施の形態に特徴的な構成及び処理について説明する。
【００５５】
図４に示すように、顔写真撮影装置３０は、さらに、通信装置２５を備える。通信装置２５は、モデム又はターミナルアダプタ等によって構成され、ネットワークＮを介して管理装置４０とデータの送受信を行う。
【００５６】
管理装置４０は、データベース（Database；以下、「ＤＢ」という。）４１を備えて構成され、ネットワークＮを介して顔写真撮影装置３０を管理する。管理装置４０は、顔写真撮影装置３０から送信される個人情報を受信すると、受信確認情報を顔写真撮影装置３０へ送信する。また、受信した個人情報を関連付けてＤＢ４１に格納させる。
【００５７】
ＤＢ４１は、顔写真撮影装置３０から送信された個人情報を関連付けて記憶する。
【００５８】
ネットワークＮは、ＬＡＮ（Local Area Network）、ＷＡＮ（Wide Area Network）、インターネットを含めてもよく、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等を含む構成でもよい。例えば、ＰＨＳ（Personal Handyphone System）により、顔写真撮影装置３０と管理装置４０とのデータの送受信を行う。
【００５９】
次に、顔写真撮影装置３０における動作について説明する。
図５は、顔写真撮影装置３０において実行されるデータ登録処理を示すフローチャートである。
図５のステップＥ１〜Ｅ２１は、第１の実施の形態における図２のステップＳ１〜Ｓ２１と同様の処理であるため、説明を省略する。
【００６０】
顔写真撮影装置３０において取得され、記憶部１８に記憶されている顔画像データ、ＢＭデータ、氏名データ、住所データ、筆跡情報、監視画像データ等の個人情報は暗号化され（ステップＥ２２）、これらのデータが関連付けられた状態でネットワークＮを介して管理装置４０に送信される（ステップＥ２３）。送信された個人情報が管理装置４０によって受信されると、管理装置４０により受信確認情報が顔写真撮影装置３０へ送信される。管理装置４０に送信された個人情報は、ＤＢ４１に記憶される。
【００６１】
そして、受信確認情報が顔写真撮影装置３０によって受信されると（ステップＥ２４）、記憶部１８に記憶されている個人情報は消去される（ステップＥ２５）。
以上で、データ登録処理が終了する。
【００６２】
したがって、顔写真撮影装置３０によれば、管理装置４０から個人情報の受信確認情報を受信した後に、記憶部１８に記憶されている個人情報を消去するので、個人情報の漏洩を防止することができる。
【００６３】
なお、記憶部１８に記憶されている個人情報を管理装置４０に送信した後、個人情報の受信確認情報を受信する前に、記憶部１８に記憶されている個人情報を消去することとしてもよい。
【００６４】
また、ＤＢ４１に記憶されているデータに基づいて、ＩＤカードの発行が行われる場合には、カード面に顔写真が印刷され、カードに内蔵されているＩＣメモリにＢＭデータ等の個人情報が記録される。ＤＢ４１に記憶されている監視画像データを分析することにより、顔写真撮影装置３０の利用中に撮影対象者が入れ替わっていないかを確認することができる。
【００６５】
なお、上記各実施の形態における記述は、本発明に係る好適な顔写真撮影装置の例であり、これに限定されるものではない。顔写真撮影装置を構成する各部の細部構成及び細部動作に関しても本発明の趣旨を逸脱することのない範囲で適宜変更可能である。
【図面の簡単な説明】
【００６６】
【図１】本発明の第１の実施の形態における顔写真撮影装置１０の機能的構成を示すブロック図である。
【図２】第１の実施の形態の顔写真撮影装置１０において実行される顔写真プリント処理を示すフローチャートである。
【図３】第２の実施の形態の顔写真撮影装置において実行されるデータ記録処理を示すフローチャートである。
【図４】第３の実施の形態における顔写真撮影装置３０の機能的構成を示すブロック図である。
【図５】第３の実施の形態の顔写真撮影装置３０において実行されるデータ登録処理を示すフローチャートである。
【符号の説明】
【００６７】
１０  顔写真撮影装置
１１  制御部
１２  カメラ
１３  入室検知センサ
１４  ＢＭデータ取得装置
１５  入力装置
１６  サイン取得装置
１７  表示装置
１８  記憶部
１９  プリンタ
２０  データ記録装置
２１  ストロボ
２２  スピーカー
２３  キャッシャー
２４  Ｉ／Ｏユニット
３０  顔写真撮影装置
２５  通信装置
４０  管理装置
４１  ＤＢ
Ｎ  ネットワーク
【図１】
2005221550.tif 000003
【図２】
2005221550.tif 000004
【図３】
2005221550.tif 000005
【図４】
2005221550.tif 000006
【図５】
2005221550.tif 000007